(57)【要約】【課題】極めて微量の水性試料についての光学的測定が可能となされたスペクトル測定装置及びスペクトル測定方法において、予め用意した薬品とその後に導入した水性試料との反応生成物の測定を可能とし、また、水性試料の蒸発を防止し、測定中に亘って必要な量の水性試料を確保することを可能とする。【解決手段】端面を対向させて配置された一対の光ファイバ３，４と、両端部を各光ファイバ３，４の端面に対向させて各光ファイバ３，４の端面間に設置され水性試料２が充填された透明な円筒状のガラスキャピラリ１とを備え、ガラスキャピラリ１を高湿雰囲気中に設置し、光ファイバ３，４の一方の端面、または、ガラスキャピラリ１の側面より水性試料２に対して光束を入射させ、光ファイバ３，４の他方の端面、または、各光ファイバ３，４の端面より、水性試料２を経た光束を取り込んで測定手段に送る。【選択図】図１
2007147492.tif 000002
【特許請求の範囲】
【請求項１】
端面を対向させて配置された一対の光ファイバと、
両端部を前記各光ファイバの端面に対向させて各光ファイバの端面間に設置され、水性試料が充填される透明な円筒状のガラスキャピラリと
を備え、
前記光ファイバの一方の端面、または、前記ガラスキャピラリの側面より前記水性試料に対して光束を入射させ、前記光ファイバの他方の端面、または、前記各光ファイバの端面より、前記水性試料を経た光束を取り込んで測定手段に送ることを特徴とするスペクトル測定装置。
【請求項２】
前記各光ファイバのコア径は、前記ガラスキャピラリの内径以下となっていることを特徴とする請求項１記載のスペクトル測定装置。
【請求項３】
前記ガラスキャピラリは、高湿雰囲気中に設置されており、前記水性試料の蒸発揮散が防止されることを特徴とする請求項１、または、請求項２記載のスペクトル測定装置。
【請求項４】
前記水性試料が充填された前記ガラスキャピラリを連続的に所定位置に供給する搬送機構を備えていることを特徴とする請求項１乃至請求項３のいずれか一に記載のスペクトル測定装置。
【請求項５】
前記ガラスキャピラリの内面には、予め試薬がコーティングされており、この試薬と前記水性試料との反応生成物についての測定を行うことを特徴とする請求項１乃至請求項４のいずれか一に記載のスペクトル測定装置。
【請求項６】
前記ガラスキャピラリヘの前記水性試料の充填は、毛細管現象によって行われることを特徴とする請求項１乃至請求項５のいずれか一に記載のスペクトル測定装置。
【請求項７】
端面を対向させて一対の光ファイバを配置し、
前記各光ファイバの端面間に水性試料を充填させた透明な円筒状のガラスキャピラリを設置し、このガラスキャピラリの両端部を前記各光ファイバの端面に対向させ、
前記光ファイバの一方の端面、または、前記ガラスキャピラリの側面より前記水性試料に対して光束を入射させ、前記光ファイバの他方の端面、または、前記各光ファイバの端面より、前記水性試料を経た光束を取り込んで測定手段に送ることを特徴とするスペクトル測定方法。
【請求項８】
前記各光ファイバのコア径を、前記ガラスキャピラリの内径以下とすることを特徴とする請求項７記載のスペクトル測定方法。
【請求項９】
前記ガラスキャピラリを高湿雰囲気中に設置し、前記水性試料の蒸発揮散を防止することを特徴とする請求項７、または、請求項８記載のスペクトル測定方法。
【請求項１０】
搬送機構を用いて、前記水性試料を充填させた前記ガラスキャピラリを連続的に所定位置に供給することを特徴とする請求項７乃至請求項９のいずれか一に記載のスペクトル測定方法。
【請求項１１】
前記ガラスキャピラリの内面に、予め試薬をコーティングしておき、この試薬と前記水性試料との反応生成物についての測定を行う
ことを特徴とする請求項７乃至請求項１０のいずれか一に記載のスペクトル測定方法。
【請求項１２】
前記ガラスキャピラリヘの前記水性試料の充填を、毛細管現象によって行うことを特徴とする請求項７乃至請求項１１のいずれか一に記載のスペクトル測定方法。
【発明の詳細な説明】
【技術分野】
【０００１】
本発明は、透明な円筒状のガラスキャピラリに水性試料を充填させ、この水性試料を経た光束を取り込んで測定するようにしたスペクトル測定装置及びスペクトル測定方法に関する。
【背景技術】
【０００２】
従来、１ｍｌ（ミリリットル）以下、例えば、１μｌ（マイクロリットル）程度の極めて微量の水性試料についての光学的測定を可能とする測定装置の必要が増大している。例えば、動物や、特に人間から、分析が必要な生体組織を大量に得ることは、困難な場合が多い。また、蛋白質、酵素、抗体及びデオキシリボ核酸（ＤＮＡ）の試料を大量に合成、または、精製することは、多大の費用がかかる。したがって、蛋白質やＤＮＡの試料は、通常、少量の水性試料の状態である。そのため、１μｌ程度の極めて微量の水性試料についての光学的測定を可能とする測定装置が必要となるのである。
【０００３】
従来の吸光分光計においては、極めて少量の水性試料について十分な感度の溶液分析を行うことができなかった。例えば、波長２６０ｎｍにおける吸光を用いて、ＤＮＡについてバックグランド信号から区別できる最低濃度として定義される近似的検出限界は０．５ｍｌ程度であり、光路長が１０ｍｍの試料キュベットを用いた場合、約２５０ｎｇ（ナノグラム）である。
【０００４】
従来、必要な試料キュベットの内容積を小さくする試みもなされているが、このような試みは、光路長の短縮を特徴とするものが多く、光路長の短縮により測定感度の低下が生じていた。１０ｍｍの光路長を確保した試料キュベットとして、３０μｌ乃至５０μｌの範囲の体積の液体を収容するものが提案されている。しかし、内容積を５μｌとした場合には、光路長が０．５ｍｍとなってしまい、十分な感度の測定が行えない。
【０００５】
特許文献１には、コア領域を形成する毛管を用いて、コア領域に水性試料を封入した測定装置が提案されている。この測定装置においては、いわゆる液体コア法が採用されており、毛管は剛性であって、かつ、水性試料中を伝播される光波に対する屈折率が水性試料より小さくなっている。
【０００６】
一方、従来、試料キュベットを用いずに、水性試料の表面張力によって水性試料を水滴状とし、この状態において分光などの光学的測定を行う測定装置が提案されている。
【０００７】
【特許文献１】特開平７‐２１８４２２号公報
【発明の開示】
【発明が解決しようとする課題】
【０００８】
ところで、前述のような液体コア法を採用した測定装置においては、毛管の屈折率が水性試料より小さくなければならないため、毛管の材質に制約があり、毛管内に薬品をコーティングすることが困難である。そのため、例えば、抗原・抗体反応等の測定のように、毛管内に予め抗体等の薬品を付着させた後に水性試料を導入し反応生成物を測定するといったように、毛管内での反応生成物を測定することができないという問題があった。
【０００９】
また、試料キュベットを用いない測定装置においては、測定中における水性試料の蒸発が問題となる。この測定装置においては、水性試料が雰囲気に曝されるため、蒸発量が多く、測定中に亘って必要な量の水性試料を確保しておくことが困難となる。
【００１０】
そこで、本発明は、前述の実情に鑑みて提案されるものであって、極めて微量の水性試料についての光学的測定が可能となされたスペクトル測定装置及びスペクトル測定方法において、予め用意した薬品とその後に導入した水性試料との反応生成物の測定を行うことができ、また、水性試料の蒸発が防止され、測定中に亘って必要な量の水性試料を確保することが可能となされたスペクトル測定装置及びスペクトル測定方法を提供することを目的とする。
【課題を解決するための手段】
【００１１】
すなわち、本発明は、前述の課題を解決するため、以下の構成のいずれか一を有するものである。
【００１２】
〔構成１〕
本発明に係るスペクトル測定装置は、端面を対向させて配置された一対の光ファイバと、両端部を各光ファイバの端面に対向させて各光ファイバの端面間に設置され水性試料が充填される透明な円筒状のガラスキャピラリとを備え、光ファイバの一方の端面、または、ガラスキャピラリの側面より水性試料に対して光束を入射させ、光ファイバの他方の端面、または、各光ファイバの端面より、水性試料を経た光束を取り込んで測定手段に送ることを特徴とするものである。
【００１３】
〔構成２〕
構成１を有するスペクトル測定装置において、各光ファイバのコア径は、ガラスキャピラリの内径以下となっていることを特徴とするものである。
【００１４】
〔構成３〕
構成１、または、構成２を有するスペクトル測定装置において、ガラスキャピラリは、高湿雰囲気中に設置されており、水性試料の蒸発揮散が防止されることを特徴とするものである。
【００１５】
〔構成４〕
構成１乃至構成３のいずれか一を有するスペクトル測定装置において、水性試料が充填されたガラスキャピラリを連続的に所定位置に供給する搬送機構を備えていることを特徴とするものである。
【００１６】
〔構成５〕
構成１乃至構成４のいずれか一を有するスペクトル測定装置において、ガラスキャピラリの内面には、予め試薬がコーティングされており、この試薬と水性試料との反応生成物についての測定を行うことを特徴とするものである。
【００１７】
〔構成６〕
構成１乃至構成５のいずれか一を有するスペクトル測定装置において、ガラスキャピラリヘの水性試料の充填は、毛細管現象によって行われることを特徴とするものである。
【００１８】
〔構成７〕
本発明に係るスペクトル測定方法は、端面を対向させて一対の光ファイバを配置し、各光ファイバの端面間に水性試料を充填させた透明な円筒状のガラスキャピラリを設置し、このガラスキャピラリの両端部を各光ファイバの端面に対向させ、光ファイバの一方の端面、または、ガラスキャピラリの側面より水性試料に対して光束を入射させ、光ファイバの他方の端面、または、各光ファイバの端面より、水性試料を経た光束を取り込んで測定手段に送ることを特徴とするものである。  
〔構成８〕
構成７を有するスペクトル測定方法において、各光ファイバのコア径を、ガラスキャピラリの内径以下とすることを特徴とするものである。
【００１９】
〔構成９〕
構成７、または、構成８を有するスペクトル測定方法において、ガラスキャピラリを高湿雰囲気中に設置し、水性試料の蒸発揮散を防止することを特徴とするものである。
【００２０】
〔構成１０〕
構成７乃至構成９のいずれか一を有するスペクトル測定方法において、搬送機構を用いて、水性試料を充填させたガラスキャピラリを連続的に所定位置に供給することを特徴とするものである。
【００２１】
〔構成１１〕
構成７乃至構成１０のいずれか一を有するスペクトル測定方法において、ガラスキャピラリの内面に、予め試薬をコーティングしておき、この試薬と水性試料との反応生成物についての測定を行うことを特徴とするものである。
【００２２】
〔構成１２〕
構成７乃至構成１１のいずれか一を有するスペクトル測定方法において、ガラスキャピラリヘの水性試料の充填を、毛細管現象によって行うことを特徴とするものである。
【発明の効果】
【００２３】
本発明に係るスペクトル測定装置は、構成１を有することにより、水性試料が充填される透明な円筒状のガラスキャピラリを用いるので、極めて微量の水性試料についての光学的測定が可能であって、予め用意した薬品とその後に導入した水性試料との反応生成物の測定をも行うことができる。
【００２４】
本発明に係るスペクトル測定装置は、構成２を有することにより、各光ファイバのコア径がガラスキャピラリの内径以下となっているので、ガラスキャピラリの屈折率が水性試料の屈折率より大きくとも、水性試料についての光学的測定を支障なく行うことができる。
【００２５】
本発明に係るスペクトル測定装置は、構成３を有することにより、ガラスキャピラリは、高湿雰囲気中に設置され、水性試料の蒸発揮散が防止されるので、測定中に亘って必要な量の水性試料を確保することが可能である。
【００２６】
本発明に係るスペクトル測定装置は、構成４を有することにより、水性試料が充填されたガラスキャピラリを連続的に所定位置に供給する搬送機構を備えているので、大量のガラスキャピラリについての測定を順次的に迅速に行うことができる。
【００２７】
本発明に係るスペクトル測定装置は、構成５を有することにより、ガラスキャピラリの内面に予め試薬がコーティングされており、この試薬と水性試料との反応生成物についての測定を行うので、予めコーティングした試薬とその後に導入した水性試料との反応生成物の測定を行うことができる。
【００２８】
本発明に係るスペクトル測定装置は、構成６を有することにより、ガラスキャピラリヘの水性試料の充填が、毛細管現象によって行われるので、極めて微量の水性試料についての光学的測定が可能となる。
【００２９】
本発明に係るスペクトル測定方法は、構成７有することにより、水性試料を充填させた透明な円筒状のガラスキャピラリを用いるので、極めて微量の水性試料についての光学的測定が可能であって、予め用意した薬品とその後に導入した水性試料との反応生成物の測定をも行うことができる。
【００３０】
本発明に係るスペクトル測定方法は、構成８を有することにより、各光ファイバのコア径が、ガラスキャピラリの内径以下となっているので、ガラスキャピラリの屈折率が水性試料の屈折率より大きくとも、水性試料についての光学的測定を支障なく行うことができる。
【００３１】
本発明に係るスペクトル測定方法は、構成９を有することにより、ガラスキャピラリを高湿雰囲気中に設置し、水性試料の蒸発揮散を防止するので、測定中に亘って必要な量の水性試料を確保することが可能である。
【００３２】
本発明に係るスペクトル測定方法は、構成１０を有することにより、搬送機構を用いて水性試料を充填させたガラスキャピラリを連続的に所定位置に供給するので、大量のガラスキャピラリについての測定を順次的に迅速に行うことができる。
【００３３】
本発明に係るスペクトル測定方法は、構成１１を有することにより、ガラスキャピラリの内面に予め試薬をコーティングしておき、この試薬と水性試料との反応生成物についての測定を行うので、予めコーティングした試薬とその後に導入した水性試料との反応生成物の測定を行うことができる。
【００３４】
本発明に係るスペクトル測定方法は、構成１２を有することにより、ガラスキャピラリヘの水性試料の充填を、毛細管現象によって行うので、極めて微量の水性試料についての光学的測定が可能となる。
【００３５】
すなわち、本発明は、極めて微量の水性試料についての光学的測定が可能となされたスペクトル測定装置及びスペクトル測定方法において、予め用意した薬品とその後に導入した水性試料との反応生成物の測定を行うことができ、また、水性試料の蒸発が防止され、測定中に亘って必要な量の水性試料を確保することが可能となされたスペクトル測定装置及びスペクトル測定方法を提供することができるものである。
【発明を実施するための最良の形態】
【００３６】
以下、図面を参照しつつ、本発明に係るスペクトル測定装置及びスペクトル測定方法の最良の実施の形態について説明する。
【００３７】
〔スペクトル測定装置の構成〕
図１は、本発明に係るスペクトル測定装置の要部の構成を示す斜視図である。
【００３８】
本発明に係るスペクトル測定装置は、図１に示すように、透明な円筒状のガラスキャピラリ１を用いて、このガラスキャピラリ１内に水性試料２を充填して光学的にスペクトル測定を行う装置である。そして、本発明に係るスペクトル測定方法は、以下に述べるペクトル測定装置を用いることによって行われる測定方法である。
【００３９】
例えば１μｌ程度の極微量の水性試料について、光学的な測定を行う装置としては、前述したように、屈折率の低い毛管を用いて水性試料をコアとする液体コア法が提案されている。しかし、本発明は、ガラスキャピラリ１を用いるために、抗原・抗体反応等に見られるように、予めガラスキャピラリ１内に抗体を付着させた後に水性試料２を導入し、ガラスキャピラリ１内での反応生成物を測定することもできる点で、液体コア法を行う測定装置とは異なるものである。
【００４０】
ガラスキャピラリ１ヘの水性試料２の充填は、毛細管現象によって行われる。ガラスキャピラリ１は、ガラスにより形成されているため、真直性に優れており、また、毛細管現象による水性試料２の充填が容易である。
【００４１】
そして、このスペクトル測定装置においては、ガラスキャピラリ１は、一対の光ファイバ３，４間に配置される。一対の光ファイバ３，４は端面を対向させて配置されており、水性試料２が充填されたガラスキャピラリ１は、各光ファイバ３，４の端面間に設置されることにより、両端部を各光ファイバ３，４の端面に対向させる。このスペクトル測定装置においては、各光ファイバ３，４のコア径は、ガラスキャピラリ１の内径以下の径となっている。
【００４２】
図２は、本発明に係るスペクトル測定装置において測定を行っている第１の状態を示す斜視図である。
【００４３】
このスペクトル測定装置においては、図２に示すように、光ファイバ３，４の一方の端面より水性試料２に対して光束を入射させ、光ファイバ３，４の他方の端面より、水性試料２を経た光束を取り込んで、図示しない測定手段に送ることができる。この測定方法により、測定手段として分光光度計やフォトダイオードを使用して、水性試料２の吸収スペクトルや吸光度を測定することができる。
【００４４】
図３は、本発明に係るスペクトル測定装置において測定を行っている第２の状態を示す斜視図である。
【００４５】
あるいは、このスペクトル測定装置においては、図３に示すように、ガラスキャピラリ１の側面より水性試料２に対して光束（励起光）を入射させ、各光ファイバ３，４の端面より、水性試料２を経た光束（水性試料２から発せられた光束）を取り込んで図示しない測定手段に送ることができる。この場合においては、各光ファイバ３，４は、１本の光ファイバにカップリングされることにより、端面より取り込んだ光束を測定手段に送る。この測定方法により、測定手段として分光光度計を使用して、水性試料２からの蛍光を測定することができる。
【００４６】
このスペクトル測定装置においては、各光ファイバ３，４のコア径がガラスキャピラリ１の内径以下の径となっているので、ガラスキャピラリ１の屈折率が水性試料２の屈折率より大きくとも、水性試料２についての光学的測定を支障なく行うことができる。
【００４７】
測定手段による液体試料の測定（分析）としては、種々の光学的測定方法を用いることができる。これらの測定方法としては、溶存物質を含む液体中での光の吸収を測定することにより、その溶存物質の組成及び濃度を定量する光学的方法、特に、光度測定法及び分光測定法が代表的なものである。このような光学的測定は、異なる物質が異なる波長の光を吸収するという性質に基づいている。このような光学的測定は、特定の波長の光、あるいは、紫外スペクトル、可視スペクトル、または、赤外スペクトルを含む広域の光スペクトル全体にわたる光を測定することによって行うことができる。
【００４８】
そして、このスペクトル測定装置においては、ガラスキャピラリ１の内面に予め試薬をコーティングしておき、その後にガラスキャピラリ１内に水性試料２を導入することにより、この水性試料２と試薬との反応生成物についての測定を行うことができる。
【００４９】
〔水性試料の蒸発による光路長の変化について〕
また、このスペクトル測定装置においては、ガラスキャピラリ１は、高湿雰囲気中に設置されており、水性試料２の蒸発揮散が防止されている。以下、ガラスキャピラリ１内の水性試料２の蒸発の問題について検討する。
【００５０】
このスペクトル測定装置においては、水性試料２の量がμｌオーダーと微量なため、ガラスキャピラリ１の端面からの蒸発による光路長の変化が懸念される。そこで、水性試料２を充填したガラスキャピラリ１を、室内環境に開放して設置した場合、水分を惨みこませた濾紙を入れたシャーレ内に設置した場合、及び、ガラスキャピラリ１の上面より水中バプリング気泡の吹付けを行った場合のそれぞれについて、水性試料２の蒸発量を求めた。ガラスキャピラリ１の長さは、１０ｍｍである。蒸発量は、ガラスキャピラリ１の端面からの液相の凹み量（ｍｍ）によって判断した。
【００５１】
その結果、以下の〔表１〕に示すように、水性試料２をガラスキャピラリ１に充填してからスペクトル測定を行うまでの経過時間によっては、何らかの蒸発防止策が必要なことがわかる。
【００５２】
【表１】
2007147492.tif 000003
【００５３】
そして、このスペクトル測定装置においては、ガラスキャピラリ１は、高湿雰囲気中に設置されているので、水性試料２の蒸発揮散が防止されることが確認された。
【００５４】
〔常湿及び多湿環境下における信号光の変化について〕
ガラスキャピラリ１を室内環境に開放して設置した状態（常温常湿）と、水分を惨みこませた濾紙を入れたシヤーレ内に設置した状態（常温多湿）とについて、水性試料２の透過光を測定し、透過信号光強度を得た。
【００５５】
図４は、水性試料２の透過光を測定して得られた透過信号光強度の時間変化を示すグラフである。
【００５６】
その結果、図４に示すように、常湿環境下に置いたガラスキャピラリ１についての測定は、ほぼ不可能であった。しかし、多湿環境下に置いたガラスキャピラリ１については、約３０分間に亘って安定した測定結果が得られた。
【００５７】
〔光路長による信号光の変化について〕
図５は、内径０．６ｍｍのガラスキャピラリ１を用いて、ガラスキャピラリ１の長さを変化させたときの信号光の変化を示すグラフである。
【００５８】
光路長による信号光の変化については、図５に示すように、光路長２０ｍｍ程度までは測定が可能であることが確認された。
【００５９】
〔毛細管現象による水性試料２の充填について〕
図６は、ガラスキャピラリ１に毛細管現象によって水性試料２を充填させている状態を示す斜視図である。
【００６０】
ガラスキャピラリ１の内径と水性試料２の液面の高さとによって、毛細管現象による水性試料２が充填される高さは異なる。ガラスキャピラリ１の内径を０．６ｍｍ、外径を１０．ｍｍとした場合には、図６に示すように、垂直充填で、約１５ｍｍの充填が可能であることが確認された。また、充填時にガラスキャピラリ１に僅かな傾きを与えることにより、２０ｍｍの充填が容易に実現された。
【００６１】
〔搬送機構の構成〕
図７は、本発明に係るスペクトル測定装置の搬送機構の構成を示す斜視図である。
【００６２】
そして、このスペクトル測定装置は、図７に示すように、搬送機構５を備えている。この搬送機構５は、水性試料２が充填された複数のガラスキャピラリ１を、連続的に所定位置に供給するものである。この搬送機構５は、加湿雰囲気中に設置されたベルトコンベア装置６を備えて構成され、このベルトコンベア装置６により、水性試料２が充填された複数のガラスキャピラリ１を移動操作し、所定のガラスキャピラリ１を、一対の光ファイバ３，４の端面間の所定位置に配置する。
【００６３】
図８は、本発明に係るスペクトル測定装置の搬送機構においてガラスキャピラリ１を位置決めする構成を示す分解斜視図である。
【００６４】
ガラスキャピラリ１を所定位置に配置するためには、図８に示すように、それぞれにＶ溝７，８，９が形成された複数の位置決めブロック１０，１１，１２により、一対の光ファイバ３，４とガラスキャピラリ１との相対位置を決めることができる。すなわち、ガラスキャピラリ１は、ガラスキャピラリ用の位置決めブロック１０において、Ｖ溝７上に設置されることにより、軸に直交する方向について、位置決めブロック１０に対して位置決めされて保持される。このガラスキャピラリ１は、軸方向については、位置決めブロック１０の端面に取付けられた位置決め片１３に端面を当接させることにより、位置決めブロック１１に対して位置決めされる。
【００６５】
そして、一方の光ファイバ３は、一方の光ファイバ用の位置決めブロック１１において、Ｖ溝８上に設置されることにより、軸に直交する方向について、位置決めブロック１１に対して位置決めされて保持される。また、他方の光ファイバ４は、他方の光ファイバ用の位置決めブロック１２において、Ｖ溝９上に設置されることにより、軸に直交する方向について、位置決めブロック１２に対して位置決めされて保持される。
【００６６】
図９は、本発明に係るスペクトル測定装置の搬送機構においてガラスキャピラリ１を位置決めする構成を示す斜視図である。
【００６７】
ガラスキャピラリ１が位置決めブロック１０に対して位置決めされ、一対の光ファイバ３，４が位置決めブロック１１，１２に対して位置決めされることにより、図９に示すように、これら位置決めブロック１０，１１，１２間の相対位置を決めることにより、一対の光ファイバ３，４及びガラスキャピラリ１間の相対位置を決めることができる。
【００６８】
すなわち、ガラスキャピラリ１は、位置決めブロック１０に対して位置決めされた状態で、この位置決めブロック１０とともに、搬送機構５によって搬送される。そして、この位置決めブロック１０は、一対の光ファイバ３，４を位置決めしている各位置決めブロック１１，１２間の位置に搬送され、これら位置決めブロック１１，１２に対して位置決めされる。例えば、各位置決めブロック１０，１１，１２の外径寸法及びＶ溝７，８，９の位置を互いに等しく形成しておけば、各位置決めブロック１０，１１，１２は、外縁部を同一直線上に位置されることにより、ガラスキャピラリ１を一対の光ファイバ３，４に対する所定位置、すなわち、これらガラスキャピラリ１及び一対の光ファイバ３，４が同軸となる位置に位置決めすることができる。
【図面の簡単な説明】
【００６９】
【図１】本発明に係るスペクトル測定装置の要部の構成を示す斜視図である。
【図２】前記スペクトル測定装置において、測定を行っている第１の状態を示す斜視図である。
【図３】前記スペクトル測定装置において、測定を行っている第２の状態を示す斜視図である。
【図４】前記スペクトル測定装置において、水性試料の透過光を測定して得られた透過信号光強度の時間変化を示すグラフである。
【図５】前記スペクトル測定装置において、内径０．６ｍｍのガラスキャピラリを用いて、ガラスキャピラリの長さを変化させたときの信号光の変化を示すグラフである。
【図６】前記スペクトル測定装置において使用するガラスキャピラリに毛細管現象によって水性試料を充填させている状態を示す斜視図である。
【図７】前記スペクトル測定装置の搬送機構の構成を示す斜視図である。
【図８】前記スペクトル測定装置の搬送機構においてガラスキャピラリを位置決めする構成を示す分解斜視図である。
【図９】前記スペクトル測定装置の搬送機構においてガラスキャピラリを位置決めする構成を示す斜視図である。
【符号の説明】
【００７０】
１                ガラスキャピラリ
２                水性試料
３，４            光ファイバ
５                搬送機構
６                ベルトコンベア装置
７，８，９        Ｖ溝
１０，１１，１２  位置決めブロック
１３              位置決め片
【図１】
2007147492.tif 000004
【図２】
2007147492.tif 000005
【図３】
2007147492.tif 000006
【図４】
2007147492.tif 000007
【図５】
2007147492.tif 000008
【図６】
2007147492.tif 000009
【図７】
2007147492.tif 000010
【図８】
2007147492.tif 000011
【図９】
2007147492.tif 000012